(57)【特許請求の範囲】
【請求項１】
装置本体側の表示部に映像情報を出力する映像出力機能を有した携帯端末装置であって、
映像出力が可能な外部出力装置と前記表示部との間において映像出力先を切り替える切替手段と、
近距離無線通信によって前記外部出力装置に対して制御信号を送信する送信手段と、
を具備し、
前記切替手段は、当該端末装置が前記外部出力装置に通信接続されている状態において前記外部出力装置の電源を投入する電源オン信号を前記制御信号として送信した際に、映像出力先を前記表示部から前記外部出力装置に切り替え、
更に、前記送信手段が前記制御信号として前記外部出力装置の電源を遮断する電源オフ信号を送信した際に、前記切替手段は、映像出力先を前記外部出力装置から前記表示部に切り替える、
ようにしたことを特徴とする携帯端末装置。
【請求項２】
前記電源オン信号を送信した際に、当該端末装置が前記外部出力装置に通信接続されているか否かを判別する判別手段を更に設け、
この判別手段によって通信接続されていると判別された場合に、前記切替手段は、映像出力先を前記表示部から前記外部出力装置に切り替える、
ようにしたことを特徴とする請求項１に記載の携帯端末装置。
【請求項３】
前記判別手段は、データ中継機能を備えたクレードル装置を介して前記外部出力装置に接続されたか否かに基づいて前記外部出力装置と通信接続可能状態にあるか否かを判別する、
ようにしたことを特徴とする請求項２に記載の携帯端末装置。
【請求項４】
コンピュータに対して、
映像出力が可能な外部出力装置と表示部との間において映像出力先を切り替える機能と、
近距離無線通信によって前記外部出力装置に対して制御信号を送信する機能と、
前記表示部に映像情報を出力する映像出力機能を有した携帯端末装置が前記外部出力装置に通信接続されている状態において前記外部出力装置の電源を投入する電源オン信号を前記制御信号として送信した際に、映像出力先を前記表示部から前記外部出力装置に切り替える機能と、
前記制御信号として前記外部出力装置の電源を遮断する電源オフ信号を送信した際に、映像出力先を前記外部出力装置から前記表示部に切り替える機能と、
を実現させるためのプログラム。
【発明の詳細な説明】
【技術分野】
【０００１】
この発明は、装置本体側の表示部に映像情報を出力する映像出力機能を有した携帯端末装置及びプログラムに関する。
【背景技術】
【０００２】
一般に、デジタルテレビ放送の受信チューナ付き携帯電話装置にあっては、携帯性という特質上、その画面サイズが制約されているために、折角、良質な画像を受信することができたとしても小さな画面で見るしかなかった。
そこで、従来では、携帯電話装置で表示される映像コンテンツを外部モニタに転送して拡大表示させるようにした技術が知られている（特許文献１参照）。
【先行技術文献】
【特許文献】
【０００３】
【特許文献１】特開平２００３−２４４２８９号公報
【発明の概要】
【発明が解決しようとする課題】
【０００４】
しかしながら、上述した先行技術にあっては、外部モニタ（テレビ受信機）に対して携帯電話装置側から映像情報（コンテンツ情報）を出力する際の前提条件として、外部モニタの電源をオンしておくこと、外部モニタの入力モードを外部入力モード（例えば、リモコンモード）に設定しておくこと、大量の映像情報を送信する場合には携帯電話装置と外部モニタとを通信ケーブルなどで有線接続しておくことが必要であり、その１つでも忘れると、携帯電話装置から送信した映像情報を外部モニタで表示することができないという問題を生じる。
【０００５】
この発明の課題は、外部出力装置へ映像出力させる際に、確実な映像出力を実現できるようにすることである。
【課題を解決するための手段】
【０００６】
上記課題を解決するため、本発明の第１の観点に係る携帯端末装置は、
装置本体側の表示部に映像情報を出力する映像出力機能を有した携帯端末装置であって、
映像出力が可能な外部出力装置と前記表示部との間において映像出力先を切り替える切替手段と、
近距離無線通信によって前記外部出力装置に対して制御信号を送信する送信手段と、
を具備し、
前記切替手段は、当該端末装置が前記外部出力装置に通信接続されている状態において前記外部出力装置の電源を投入する電源オン信号を前記制御信号として送信した際に、映像出力先を前記表示部から前記外部出力装置に切り替え、
更に、前記送信手段が前記制御信号として前記外部出力装置の電源を遮断する電源オフ信号を送信した際に、前記切替手段は、映像出力先を前記外部出力装置から前記表示部に切り替える、
ようにしたことを特徴とする。
【０００７】
なお、上記第１の観点に係る携帯端末装置は、次のようなものであってもよい。
【０００８】
前記電源オン信号を送信した際に、当該端末装置が前記外部出力装置に通信接続されているか否かを判別する判別手段を更に設け、
この判別手段によって通信接続されていると判別された場合に、前記切替手段は、映像出力先を前記表示部から前記外部出力装置に切り替える。
【００１０】
前記判別手段は、データ中継機能を備えたクレードル装置を介して前記外部出力装置に接続されたか否かに基づいて前記外部出力装置と通信接続可能状態にあるか否かを判別する。
【００１１】
上記課題を解決するため、本発明の第２の観点に係るプログラムは、
コンピュータに対して、
映像出力が可能な外部出力装置と表示部との間において映像出力先を切り替える機能と、
近距離無線通信によって前記外部出力装置に対して制御信号を送信する機能と、
前記表示部に映像情報を出力する映像出力機能を有した携帯端末装置が前記外部出力装置に通信接続されている状態において前記外部出力装置の電源を投入する電源オン信号を前記制御信号として送信した際に、映像出力先を前記表示部から前記外部出力装置に切り替える機能と、
前記制御信号として前記外部出力装置の電源を遮断する電源オフ信号を送信した際に、映像出力先を前記外部出力装置から前記表示部に切り替える機能と、
を実現させる。
【発明の効果】
【００１２】
本発明によれば、外部出力装置へ映像出力させる際に、確実な映像出力を実現できる。
【図面の簡単な説明】
【００１３】
【図１】携帯端末装置として適用した携帯電話装置で受信したテレビ放送内容を外部出力装置から出力させる場合を示した概略斜視図。
【図２】テレビ受信機能付き携帯電話装置の基本的な構成要素を示したブロック図。
【図３】電源投入に伴って実行開始される携帯電話装置の全体動作を示したフローチャート。
【図４】図３に続く、フローチャート。
【図５】図３に続く、フローチャート。
【発明を実施するための形態】
【００１４】
以下、図１〜図５を参照して本発明の実施例を説明する。
この実施例は、携帯端末装置としてテレビ受信機能付き携帯電話装置に適用した場合で、図１は、このテレビ受信機能付き携帯電話装置１で受信したテレビ放送内容を外部出力装置２から出力させる場合を示した概略斜視図である。
携帯電話装置１は、例えば、２つの筐体（操作部筐体１Ａ、表示部筐体１Ｂ）が開閉可能に取り付けられた折り畳み自在なもので、通話機能、電子メール機能、インターネット接続機能（Ｗｅｂアクセス機能）などのほか、テレビ受信機能、テレビリモコン機能を備えている。
【００１５】
テレビ受信機能は、携帯電話などの携帯受信機向けの地上波デジタルテレビ放送を受信するもので、テレビ映像及び音声情報以外にも電子番組表(ＥＰＧ)なども含めて受信可能なものである。テレビリモコン機能は、外部出力装置２を赤外線通信（近距離無線通信）によってリモート・コントロールするもので、例えば、２つの筐体を開いた状態において、操作部筐体１Ａ上の所定キーを操作することによって外部出力装置２に対する制御信号として、例えば、電源オン／オフ信号、チャンネル切替信号などを赤外線送信する構成となっている。なお、表示部筐体１Ｂの上端部には、赤外線発光部Ｒ１が配置され、外部出力装置２の前面部には、赤外線受光部Ｒ２が配置されている。
【００１６】
このテレビ受信機能付き携帯電話装置１をクレードル装置３に載置（接続）すると、通信ケーブル４を介して携帯電話装置１は、外部出力装置２に通信接続（有線接続）される。外部出力装置２は、例えば、据置型のテレビ受信機あるいはテレビ受信機能付きパーソナルコンピュータであり、携帯電話装置１からクレードル装置３を介して送信されてきたテレビ映像及びテレビ音声を出力する。なお、以下、携帯電話装置１から外部出力装置２への出力には、映像出力に限らず音声出力も含むものとする。クレードル装置３は、携帯電話装置１の二次電池（図示せず）を充電する充電機能と携帯電話装置１で受信したテレビ放送内容を外部出力装置２に転送するデータ中継機能（通信機能）を備えたもので、外部出力装置２とクレードル装置３とは、通信ケーブル４を介して接続可能となっている。
【００１７】
図２は、テレビ受信機能付き携帯電話装置１の基本的な構成要素を示したブロック図である。
ＣＰＵ１１は、記憶部１２内の各種のプログラムに応じて携帯電話装置１の全体動作を制御する中核的な中央演算処理装置である。記憶部１２は、内部メモリであり、プログラム領域とデータ領域とを有し、このプログラム領域には、後述する図３〜図５に示す動作手順に応じて本実施例を実現するためのプログラムが格納されている。外部記録メディア１３は、着脱自在な可搬型メモリで、録画コンテンツなど、各種のデータ・プログラムを外部供給するもので、例えば、ＳＤカード、ＩＣカードなどによって構成されている。メモリ１４は、ワーク領域を有する内部メモリであり、必要に応じてメモリ１４内の各種のデータは、記憶部１２にセーブされる。
【００１８】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信号に符号化したのちに送受信部の送信側に与えられてアンテナから発信出力させる。一方、インターネット接続機能などによって電話通信部１５を介して受信取得した映像コンテンツあるいはテレビ受信機能によって受信したテレビ放送内容は、表示制御部１９を介して携帯表示部２０に与えられて表示出力される。
【００１９】
携帯表示部２０は、文字、映像などを高品位に表示するもので、テレビ受信機能の動作時にはテレビ画面として使用され、テレビリモコン機能の動作時にはリモコン画面として使用される。ここで、テレビ映像の出力先を携帯表示部２０から外部出力装置２に切り替える切替操作が行われると、ＣＰＵ１１は、外部出力装置２と通信接続可能状態にあるか否か、つまり、携帯電話装置１と外部出力装置２とがクレードル装置３を介して通信接続されているか否かを判別し、携帯電話装置１がクレードル装置３に載置（接続）されていなければ、クレードル装置３への接続を促すための催促メッセージを携帯表示部２０に表示するようにしている。
【００２０】
キー操作部２１は、ダイヤル入力、文字入力、コマンド入力などを行うもので、このキー操作部２１には、数値／文字入力キー、ダイヤルキーなどのほか、テレビキー、リモコンキー、モード切替キーが設けられており、ＣＰＵ１１は、キー操作部２１からのキー入力信号に応じた処理を実行する。テレビキーは、そのオン／オフ操作によってテレビアプリケーション（ＴＶアプリ）を起動／終了させるキーであり、リモコンキーは、リモコン機能をオン／オフさせるキーである。モード切替キーは、映像出力先を携帯表示部２０とする「携帯出力モード」と外部出力装置２とする「外部出力モード」に切り替えるキーである。
【００２１】
テレビ放送受信部２２は、テレビアンテナに接続されていて放送信号を抽出する受信部（アナログ回路部）と、受信した放送信号をＯＦＤＭ（直交周波数分割多重）復調したり、多重化されている放送信号から映像、音声、データに分離して復号化したり、圧縮データの解凍などを行うデジタル回路部を有するもので、テレビ映像データ及び文字データなどは、携帯表示部２０から表示出力され、また、テレビ音声データは、サウンドスピーカ２３から出力される。
【００２２】
リモコン用赤外線通信部２４は、外部出力装置２をリモート・コントロールするもので、外部出力装置２にリモコン制御信号として電源オン／オフ信号、チャンネル切替信号、音量調整信号などを赤外線送信する。クレードル接続部２５は、携帯電話装置１がクレードル装置３に接続された際に、クレードル装置３からの充電電流によって携帯電話装置１の二次電池（図示せず）を充電するもので、ＣＰＵ１１は、クレードル接続部２５から出力される接続検出信号に基づいて装置本体がクレードル装置３に接続されているか否かを検出する。
【００２３】
テレビ映像出力先を携帯表示部２０から外部出力装置２に切り替えて当該外部出力装置２に対してテレビ映像を出力する際に、ＣＰＵ１１はクレードル接続部２５にアクセスし、装置本体がクレードル装置３に載置（接続）されているか否かに基づいてクレードル装置３を介して外部出力装置２と通信接続可能状態にあるか否かを判別し、この判別結果を報知するようにしている。すなわち、装置本体がクレードル装置３を介して外部出力装置２にケーブル接続されていなければ、クレードル装置３、つまり、外部出力装置２との接続を促す催促メッセージを携帯表示部２０に表示するようにしている。
【００２４】
また、クレードル装置３に載置（接続）されている状態において、外部出力装置２に対してテレビ映像の出力の開始が指示された際に、ＣＰＵ１１は外部出力装置２側の電源がオフされていれば、この外部出力装置２を通信接続可能状態に切り替えるためにリモコン用赤外線通信部２４から電源ＯＮ信号を送信出力させて外部出力装置２の電源をオンさせるようにしている。また、リモコン用赤外線通信部２４によって外部出力装置２側の電源をオンさせた際に、ＣＰＵ１１は映像出力先を携帯表示部２０から外部出力装置２に変更するために「携帯出力モード」から「外部出力モード」に切り替えるようにしている。
【００２５】
次に、この実施例における携帯電話装置の動作概念を図３〜図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２６】
図３〜図５は、電源投入に伴って実行開始される携帯電話装置１の全体動作を示したフローチャートである。
先ず、ＣＰＵ１１は、電話通信部１５を作動させて現在位置を登録する待受処理を行うと共に、所定の待受画像を読み出して表示出力させながら電話／メールの待受状態となる（図３のステップＳ１）。この状態において、電話／メール着信有りを検出すると（ステップＳ２でＹＥＳ）、着信メロディなどを発生出力させる着信報知を行うと共に、電話あるいはメールの着信処理を実行する（ステップＳ３）。また、待受状態において、何らかの操作が行われると（ステップＳ４でＹＥＳ）、テレビキーのオン操作によってＴＶアプリの起動が指示されたかを調べるが（ステップＳ５）、それ以外の操作であれば、操作キー対応の処理として、例えば、電話発信処理、メール送信処理などの実行に移る（ステップＳ６）。
【００２７】
テレビキーがオン操作されると（ステップＳ５でＹＥＳ）、ＣＰＵ１１は、テレビ放送受信部２２を駆動させると共に、ＴＶアプリを起動させたのち（ステップＳ７）、テレビ映像の出力先を携帯表示部２０とする「携帯出力モード」を選択する（ステップＳ８）。そして、このテレビ映像を携帯表示部２０に表示させる携帯出力動作を開始したのち（ステップＳ９）、何らかの操作が行われるまで待機状態となる（ステップＳ１０）。このように携帯表示部２０にテレビ映像が表示されている状態の携帯出力モードにおいて、キー操作が行われると、モード切替キーの操作によってテレビ映像の出力先を携帯表示部２０から外部出力装置２に変更するモードの切り替えが指示されたか（ステップＳ１１）、リモコンキーのオン操作によって外部出力装置２側の電源ＯＮ（オン）が指示されたか（ステップＳ１２）、テレビキーのオフ操作によってテレビ終了が指示されたかを調べ（ステップＳ１３）、それ以外のキー操作であれば（ステップＳ１３でＮＯ）、その操作キーに応じた処理として、例えば、音量調整処理などを実行する（ステップＳ１４）。
【００２８】
リモコンキーがオン操作されると（ステップＳ１２でＹＥＳ）、ＣＰＵ１１は、外部出力装置２を通信接続可能状態に切り替えるための制御信号（電源ＯＮ信号）を送信出力する（ステップＳ１５）。この場合、ＣＰＵ１１は、リモコン用赤外線通信部２４を駆動させて外部出力装置２側の電源をオンさせる電源ＯＮ信号を制御信号として送信出力させる（以下、同様）。そして、クレードル接続部２５にアクセスし、装置本体がクレードル装置３に接続されているか否かに基づいて外部出力装置２と通信接続可能状態にあるか否かを判別する（ステップＳ１６）。いま、装置本体がクレードル装置３に接続されていなければ（ステップＳ１６でＮＯ）、上述のステップＳ１０に戻ってキー操作待ちとなる。ここで、例えば、チャンネル切替操作、音量調整操作などが行われると（ステップＳ１３でＮＯ）、リモコン用赤外線通信部２４から操作キー対応の信号としてチャンネル切替信号、音量調整信号などを送信出力する（ステップＳ１４）。
【００２９】
また、クレードル接続を検出すると（ステップＳ１６でＹＥＳ）、テレビ映像出力先を携帯表示部２０から外部出力装置２に変更するために「携帯出力モード」から「外部出力モード」に切り替えたのち（ステップＳ１７）、クレードル装置３を介してテレビ映像を外部出力装置２に対して送信する外部出力動作を開始する（ステップＳ１８）。そして、図４のフローに移り、キー操作有無をチェックし（ステップＳ１９）、キー操作無しの場合には、再び、クレードル接続部２５にアクセスして装置本体がクレードル装置３から外されたか、つまり、クレードル接続の状態から非接続の状態に変化したかを判別する（ステップＳ２０）。
【００３０】
いま、外部出力装置２にテレビ映像が表示されている状態の外部出力モードにおいて、何らかのキーが操作されると（ステップＳ１９でＹＥＳ）、「外部出力モード」から「携帯出力モード」に切り替えるモード切替キーが操作されたのか（ステップＳ２１）、リモコンキーのオフ操作で外部出力装置２側の電源ＯＦＦ（オフ）が指示されたのか（ステップＳ２２）、テレビキーのオフ操作によってテレビ終了が指示されたのかを調べる（ステップＳ２３）。ここで、例えば、チャンネル切替操作、音量調整操作など、それ以外のキーが操作された際には（ステップＳ２３でＮＯ）、その操作キーに応じた処理として、リモコン用赤外線通信部２４から操作キー対応の信号、例えば、チャンネル切替信号、音量調整信号などを送信出力する処理を実行したのち（ステップＳ２４）、上述のステップＳ１９に戻る。
【００３１】
また、テレビ終了がユーザ指示されると（ステップＳ２３でＹＥＳ）、ＣＰＵ１１は、外部出力装置２を通信接続遮断状態に切り替えるための制御信号（電源ＯＦＦ信号）を送信出力する（ステップＳ２５）。この場合、ＣＰＵ１１は、リモコン用赤外線通信部２４を駆動させて外部出力装置２側の電源をオフさせる電源ＯＦＦ信号を制御信号として送信出力させる。その後、待受状態に戻る（図３のステップＳ１）。
【００３２】
一方、クレードル接続の状態から非接続の状態に変化した場合（ステップＳ２０でＹＥＳ）、あるいは「外部出力モード」から「携帯出力モード」への切替指示された場合（ステップＳ２１でＹＥＳ）、又はリモコンキーのオフ操作によって外部出力装置２側の電源オフが指示された場合には（ステップＳ２２でＹＥＳ）、リモコン用赤外線通信部２４を駆動させて外部出力装置２側の電源をオフさせる電源ＯＦＦ信号をリモコン用赤外線通信部２４から送信出力する（ステップＳ２６）。そして、「外部出力モード」から「携帯出力モード」に切り替えたのち（ステップＳ２７）、テレビ映像を携帯表示部２０から表示させる携帯出力動作を開始する（ステップＳ２８）。そして、図３のステップＳ１０に戻ってキー操作待ちとなる。
【００３３】
他方、「携帯出力モード」から「外部出力モード」への切替指示された場合には（図３のステップＳ１１でＹＥＳ）、図５のフローに移り、クレードル接続部２５にアクセスし、装置本体がクレードル装置３に接続されているか否かを判別する（ステップＳ２９）。いま、携帯電話装置１がクレードル装置３に接続されていれば、つまり、携帯電話装置１がクレードル装置３を介して外部出力装置２に物理的に接続されていれば、ステップＳ３３に移り、外部出力装置２との電気的な接続状態を確認するための接続確認信号をクレードル装置３を介して外部出力装置２に送信する。この場合、外部出力装置２側では、この接続確認信号を正常受信すると、その旨を示す応答信号をクレードル装置３を介して携帯電話装置１に送信出力するが、例えば、外部出力装置２側の電源がオフされている状態あるいは停電状態など、電気的に非接続の状態にあるときには無応答となる。
【００３４】
ＣＰＵ１１は、外部出力装置２からの応答有無をチェックし（ステップＳ３４）、外部出力装置２からの応答を受信した場合には、外部出力装置２側では映像出力が可能な状態、つまり、映像出力の準備が整っている状態にあると判断して、ステップＳ３８に移り、映像出力先を携帯表示部２０から外部出力装置２に変更するために「携帯出力モード」から「外部出力モード」に切り替える。そして、テレビ映像をクレードル装置３を介して外部出力装置２に送信する外部出力動作を開始したのち（ステップＳ３９）、図４のステップＳ１９に移り、以下、上述と同様の動作が行われる。
【００３５】
また、外部出力装置２からの応答が無ければ（ステップＳ３４でＮＯ）、外部出力装置２側では映像出力が不可能な状態、つまり、電源オフなどによって映像出力の準備が整っていない状態にあると判断して、ステップＳ３５に移り、リモコン用赤外線通信部２４を駆動させて外部出力装置２側の電源をオンさせる電源ＯＮ信号をリモコン用赤外線通信部２４から送信出力する。その後、再び、外部出力装置２との電気的な接続状態を確認するための接続確認信号をクレードル装置３を介して外部出力装置２に送信する（ステップＳ３６）。
【００３６】
ここでも外部出力装置２から応答が無ければ（ステップＳ３７でＮＯ）、今回のモード切替操作を無効とするために図３のステップＳ１０に戻ってキー操作待ち状態となるが、外部出力装置２からの応答を受信した際には（ステップＳ３７でＹＥＳ）、上述と同様に、「携帯出力モード」から「外部出力モード」に切り替えたのち（ステップＳ３８）、テレビ映像を外部出力装置２に対して送信する外部出力動作を開始する（ステップＳ３９）。そして、図４のステップＳ１９に移り、以下、上述と同様の動作が行われる。
【００３７】
他方、クレードル装置３を介して外部出力装置２に物理的に接続されていない場合には（ステップＳ２９でＮＯ）、クレードル装置３への接続を促すための催促メッセージを表示させる（ステップＳ３０）。なお、催促メッセージは、表示メッセージに限らず、音声メッセージであってもよい。このような催促メッセージを出力してから所定時間（例えば、２０秒）が経過するまでの間にクレードル装置３に接続されたか否かを監視する（ステップＳ３１、Ｓ３２）。このステップＳ３１では、クレードル装置３との物理的な接続のほか、外部出力装置２との電気的な接続状態をも含めて検出するようにしており、上述のステップＳ３３、３４と同様に、接続確認信号を送信したのち、その応答有無を判別することによって外部出力装置２に電気的に接続されているか否かを検出するようにしている。
【００３８】
いま、所定時間が経過してもクレードル装置３に接続されなければ（ステップＳ３２でＹＥＳ）、今回のモード切替操作を無効とするために図３のステップＳ１０に戻ってキー操作待ちとなるが、所定時間内にクレードル装置３に接続された場合には（ステップＳ３１でＹＥＳ）、上述と同様に、「携帯出力モード」から「外部出力モード」に切り替えたのち（ステップＳ３８）、テレビ映像を外部出力装置２に対して送信する外部出力動作を開始する（ステップＳ３９）。そして、図４のステップＳ１９に移り、以下、上述と同様の動作が行われる。
【００３９】
以上のように、この実施例においてテレビ受信機能付き携帯電話装置１は、受信したテレビ映像出力先を外部出力装置２に切り替えて当該外部出力装置２に対して映像を出力する際に、この外部出力装置２と通信接続可能状態にあるか否かを判別して、その判別結果を報知することにより、携帯端末装置１から外部出力装置２へ映像出力させる際に、この外部出力装置２が映像出力可能な状態にあるか否かをユーザに対して知らせることができ、円滑な映像出力が可能となる。
【００４０】
外部出力装置２に映像を出力する「外部出力モード」に切り替えられた際に、外部出力装置２と通信接続可能状態にあるか否かを判別することにより、ユーザにあってはモード切替操作時に、外部出力装置２が映像出力可能な状態にあるか否かを知ることができる。
【００４１】
外部出力装置２と通信接続可能状態にあるか否かの判別は、データ中継機能を備えたクレードル装置３を介して外部出力装置２に接続されたか否かに応じて行うことができる。
【００４２】
テレビ放送受信部２２で受信した映像出力先が外部出力装置２に切り替えられている状態において映像出力の開始に先立って、この外部出力装置２を通信接続可能状態に切り替えるための制御信号を当該外部出力装置２に対して送信することにより、携帯端末装置１から外部出力装置２へ映像出力させる際に、外部出力装置２を映像出力可能な状態に切り替えた上で映像出力させることができ、円滑な映像出力が可能となる。
【００４３】
テレビ放送受信部２２で受信した映像出力先が外部出力装置２に切り替えられている状態において映像出力の終了が指示された際に、この外部出力装置２を通信接続遮断状態に切り替えるための制御信号を当該外部出力装置２に対して送信することにより、映像出力の終了指示に連動して外部出力装置２を通信接続遮断状態とすることができる。
【００４４】
テレビ映像の出力は、携帯電話装置１がクレードル装置３を介して外部出力装置２に有線接続されている状態にあるときに、外部出力装置２とクレードル装置３とを接続する通信ケーブル４を介して行うのに対し、上述の制御信号の送信は、近距離無線による無線信号（リモコン用赤外線通信部２４からの赤外線信号）によって行うことにより、クレードル接続前であっても外部出力装置２の通信接続状態を遠隔制御することが可能となる。
【００４５】
外部出力装置２を通信接続可能状態に切り替えるための制御信号は、外部出力装置２側の電源をオンする電源ＯＮ信号であり、また、外部出力装置２を通信接続遮断状態に切り替えるための制御信号は、外部出力装置２側の電源をオフする電源ＯＦＦ信号であり、映像出力の開始時あるいはその終了時に外部出力装置２側の電源を遠隔制御することが可能となる。
【００４６】
外部出力装置２側の電源をオンする電源ＯＮ信号は、映像出力に先立って送信するのに対し、外部出力装置２側の電源をオフする電源ＯＦＦ信号は、映像出力の終了指示後に送信することができる。すなわち、クレードル接続の状態から非接続の状態に変化した場合、「外部出力モード」から「携帯出力モード」への切替が指示された場合、リモコンキーのオフ操作によって外部出力装置２側の電源オフが指示された場合、テレビ終了がユーザ指示された場合に、外部出力装置２側の電源をオフすることができる。
【００４７】
この場合、電源ＯＮ信号の送信に先立って、外部出力装置２が通信接続可能状態にあるか否かを判別し、通信接続可能状態にないと判別された場合に、電源ＯＮ信号の送信を行うことにより、携帯電話装置１がクレードル装置３に載置（接続）されていても、外部出力装置２側の電源がオフされていれば、それをオンしたのちに映像出力を開始させることができる。
【００４８】
リモコン用赤外線通信部２４からの赤外線信号によって電源ＯＮ信号を送信した際に、「外部出力モード」に切り替えることにより、リモコンによる電源オンに連動して映像出力先を外部出力装置２に切り替えることができ、携帯端末装置１から外部出力装置２への映像出力を迅速に開始させることが可能となる。
【００４９】
携帯電話装置１がクレードル装置３を介して外部出力装置２に通信接続されている状態において電源ＯＮ信号を送信した際に「外部出力モード」に切り替えることにより、外部出力装置２を映像出力可能な状態とした上で当該外部出力装置２に対して映像出力させることができる。
【００５０】
この場合、電源ＯＮ信号を送信した際に、携帯電話装置１がクレードル装置３を介して外部出力装置２に通信接続されているか否かを判別し、携帯電話装置１がクレードル装置３に載置（接続）されている場合に「外部出力モード」に切り替えることにより、映像出力が確実となる。
【００５１】
更に、外部出力装置２の電源をオフする電源ＯＦＦ信号を送信した際に、「携帯出力モード」に切り替えることにより、映像出力先を外部出力装置２から携帯表示部２０に切り替えることができる。
【００５２】
なお、上述した実施例においては、外部出力装置２を通信接続可能状態に切り替えるための制御信号を外部出力装置２側の電源をオンする電源ＯＮ信号とし、また、外部出力装置２を通信接続遮断状態に切り替えるための制御信号を外部出力装置２側の電源をオフする電源ＯＦＦ信号とした場合を例示したが、外部出力装置２を通信接続可能状態に切り替えるための制御信号としては、外部出力装置２の入力モードを外部入力モード（例えば、リモコンモード）に切り替えるための切替信号であってもよく、また、外部出力装置２を通信接続遮断状態に切り替えるための制御信号としては、外部出力装置２の入力モードを内部入力モード（例えば、チューナモード）に切り替えるための切替信号であってもよい。
【００５３】
上述した実施例においては、外部出力装置２と通信接続可能状態にあるか否かを判別する際に、携帯電話装置１がクレードル装置３を介して外部出力装置２に接続されているか否かを判別するようにしたが、外部出力装置２側の入力モードが外部入力を受け付ける外部入力モードに設定されているか否かに応じて判別するようにしてもよい。
【００５４】
上述した実施例においては、携帯電話装置１をクレードル装置３を介して外部出力装置２に接続するようにしたが、携帯電話装置１を外部出力装置２のコネクタ部にダイレクト接続してもよく、また、通信ケーブルを介して接続するようにしてもよい。更に、無線通信によって映像情報を外部出力装置２に送信するようにしてもよい。
【００５５】
上述した実施例においては、「外部出力モード」に切り替えられた際に外部出力装置２に対して映像出力するようにしたが、受信チャンネル選択時など、映像出力の開始が指示された際に外部出力装置２に対して映像出力するようにしてもよい。
【００５６】
上述した実施例においては、リモコン用赤外線通信部２４を駆動させて外部出力装置２側の電源をオンさせる電源ＯＮ信号を送信したり、外部出力装置２側の電源をオフする電源ＯＦＦ信号を送信するようにしたが、外部出力装置２側の入力モードを外部入力モード（例えば、リモコンモード）に設定するモード切替信号を送信したり、外部入力モードを解除して内部入力モード（例えば、チューナモード）への切換えを指示するモード切替信号を送信するようにしてもよい。
【００５７】
上述した実施例においては、外部出力装置２として、据置型のテレビ受信機を示したが、他のＴＶ受信機能付き携帯電話装置であってもよく、また、外部モニタ装置（外部表示装置）であってもよい。
また、上述した実施例においては、外部出力装置２に対するリモコン指示信号を赤外線通信によって送信するようにしたが、Bluetooth（登録商標）通信方式によって送信するようにしてもよい。
【００５８】
上述した実施例においては、テレビ放送受信部２２からのテレビ映像を外部出力装置２に出力する場合を例示したが、テレビ放送の受信出力に限らず、記録メディア１３から外部供給された映像コンテンツあるいはインターネットを介してダウンロード受信した映像コンテンツなどを外部出力装置２から出力させるようにしてもよい。
【００５９】
上述した実施例においては、２つの筐体（操作部筐体１Ａ、表示部筐体１Ｂ）を開閉可能に取り付けた折り畳み自在な携帯電話装置１を例示したが、例えば、装置本体を構成する２つの筐体の位置関係に応じて装置本体の形態を４つのスタイルに変更可能な折畳・回転型（２軸回転型）の携帯電話装置などであってもよい。
その他、ＴＶ受信機能付きの携帯電話装置に限らず、例えば、ＴＶ受信機能付きのＰＤＡ・電子カメラ・電子腕時計・音楽再生機などの携帯端末装置であっても同様に適用可能である。
【００６０】
上記の実施形態の一部又は全部は、以下の付記のようにも記載されうるが、以下には限られない。
【００６１】
（付記１）
装置本体側の表示部に映像情報を出力する映像出力機能を有した携帯端末装置であって、
映像出力が可能な外部出力装置と前記表示部との間において映像出力先を切り替える切替手段と、
この切替手段によって映像出力先を外部出力装置に切り替えて当該外部出力装置に対して映像を出力する際に、当該外部出力装置と通信接続可能状態にあるか否かを判別する判別手段と、
この判別手段による判別結果を報知する報知手段と、
を具備したことを特徴とする携帯端末装置。
【００６２】
（付記２）
前記映像出力する際は、前記切替手段によって外部出力装置に映像を出力する外部出力モードに切り替えられた際であり、前記判別手段は、外部出力モードに切り替えられた際に、外部出力装置と通信接続可能状態にあるか否かを判別する、
ようにしたことを特徴とする付記１記載の携帯端末装置。
【００６３】
（付記３）
前記判別手段は、データ中継機能を備えたクレードル装置を介して外部出力装置に接続されたか否かに基づいて外部出力装置と通信接続可能状態にあるか否かを判別する、
ようにしたことを特徴とする付記１記載の携帯端末装置。
【００６４】
（付記４）
装置本体側の表示部に映像情報を出力する映像出力機能を有した携帯端末装置であって、
映像出力が可能な外部出力装置と前記表示部との間において映像出力先を切り替える切替手段と、
この切替手段によって映像出力先が外部出力装置に切り替えられている状態において映像出力の開始に先立って、この外部出力装置を通信接続可能状態に切り替えるための制御信号を当該外部出力装置に対して送信する送信手段と、
を具備したことを特徴とする携帯端末装置。
【００６５】
（付記５）
更に、前記送信手段は、前記切替手段によって映像出力先が外部出力装置に切り替えられている状態において映像出力の終了が指示された際に、この外部出力装置を通信接続遮断状態に切り替えるための制御信号を当該外部出力装置に対して送信する、
ようにしたことを特徴とする付記４記載の携帯端末装置。
【００６６】
（付記６）
前記映像出力は、当該端末装置が前記外部出力装置に有線接続されている状態にあるときに当該有線通信路を介して行うのに対し、前記制御信号の送信は、近距離無線による無線信号によって行う、
ようにしたことを特徴とする付記４あるいは５記載の携帯端末装置。
【００６７】
（付記７）
前記外部出力装置を通信接続可能状態に切り替えるための制御信号は、外部出力装置の電源を投入する電源オン信号であり、外部出力装置を通信接続遮断状態に切り替えるための制御信号は、外部出力装置の電源を遮断する電源オフ信号である、
ことを特徴とする付記５記載の携帯端末装置。
【００６８】
（付記８）
前記送信手段は、外部出力装置を通信接続可能状態に切り替えるための制御信号を映像出力に先立って送信するのに対し、外部出力装置を通信接続遮断状態に切り替えるための制御信号を映像出力の終了指示後に送信する、
ようにしたことを特徴とする付記５記載の携帯端末装置。
【００６９】
（付記９）
前記外部出力装置を通信接続可能状態に切り替えるための制御信号の送信に先立って、当該外部出力装置が通信接続可能状態にあるか否かを判別する判別手段を更に設け、
この判別手段によって通信接続可能状態にないと判別された場合に、前記送信手段は、前記制御信号の送信を行う、
ようにしたことを特徴とする付記４記載の携帯端末装置。
【００７０】
（付記１０）
装置本体側の表示部に映像情報を出力する映像出力機能を有した携帯端末装置であって、
映像出力が可能な外部出力装置と前記表示部との間において映像出力先を切り替える切替手段と、
近距離無線通信によって前記外部出力装置に対して制御信号を送信する送信手段と、
を具備し、前記外部出力装置の電源を投入する電源オン信号を前記制御信号として送信した際に、前記切替手段は、映像出力先を外部出力装置に切り替えるようにしたことを特徴とする携帯端末装置。
【００７１】
（付記１１）
前記切替手段は、当該端末装置が前記外部出力装置に通信接続されている状態において前記電源オン信号を送信した際に、映像出力先を外部出力装置に切り替える、
ようにしたことを特徴とする付記１０記載の携帯端末装置。
【００７２】
（付記１２）
前記電源オン信号を送信した際に、当該端末装置が前記外部出力装置に通信接続されているか否かを判別する判別手段を更に設け、
この判別手段によって通信接続されていると判別された場合に、前記切替手段は、映像出力先を外部出力装置に切り替える、
ようにしたことを特徴とする付記１０記載の携帯端末装置。
【００７３】
（付記１３）
更に、前記送信手段が前記制御信号として前記外部出力装置の電源を遮断する電源オフ信号を送信した際に、前記切替手段は、映像出力先を表示部に切り替える、
ようにしたことを特徴とする付記１０記載の携帯端末装置。
【００７４】
（付記１４）
コンピュータに対して、
映像出力が可能な外部出力装置と表示部との間において映像出力先を切り替える機能と、
映像出力先を外部出力装置に切り替えて当該外部出力装置に対して映像を出力する際に、当該外部出力装置と通信接続可能状態にあるか否かを判別する機能と、
この判別結果を報知する機能と、
を実現させるためのプログラム。
【００７５】
（付記１５）
コンピュータに対して、
映像出力が可能な外部出力装置と表示部との間において映像出力先を切り替える機能と、
映像出力先が外部出力装置に切り替えられている状態において映像出力の開始に先立って、この外部出力装置を通信接続可能状態に切り替えるための制御信号を当該外部出力装置に対して送信する機能と、
を実現させるためのプログラム。
【００７６】
（付記１６）
コンピュータに対して、
映像出力が可能な外部出力装置と表示部との間において映像出力先を切り替える機能と、
近距離無線通信によって前記外部出力装置に対して制御信号を送信する機能と、
前記外部出力装置の電源を投入する電源オン信号を前記制御信号として送信した際に、映像出力先を表示部から外部出力装置に切り替える機能と、
を実現させるためのプログラム。
【００７７】
付記１、１４によれば、携帯端末装置から外部出力装置へ映像出力させる際に、外部出力装置が映像出力可能な状態にあるか否かをユーザに対して知らせることができる。付記２、３も同様である。
【００７８】
付記４、１５によれば、携帯端末装置から外部出力装置への映像出力を開始する際に、外部出力装置を映像出力可能な状態に切り替えた上で映像出力させることができる。付記５、６、７、８、９も同様である。
【００７９】
付記１０、１６によれば、近距離無線通信による外部出力装置の電源オンに連動して映像出力先を外部出力装置に切り替えることができ、携帯端末装置から外部出力装置への映像出力を迅速に開始させることができる。付記１１、１２、１３も同様である。
【符号の説明】
【００８０】
１ 携帯電話装置
２ 外部出力装置
３ クレードル装置
４ 通信ケーブル
１１ ＣＰＵ
１２ 記憶部
１５ 電話通信部
２０ 携帯表示部
２１ キー操作部
２２ テレビ放送受信部
２３ サウンドスピーカ
２４ リモコン用赤外線通信部
２５ クレードル接続部
【図１】
0005336627.tif 000002
【図２】
0005336627.tif 000003
【図３】
0005336627.tif 000004
【図４】
0005336627.tif 000005
【図５】
0005336627.tif 000006